(57)【特許請求の範囲】
【請求項１】
原稿が支持される支持台を有する筐体部と、
前記筐体部の内部に配置されて、原稿を読み取る読取り部材と、
前記筐体部に対して壁部を介して隣接して配置され、内部に電源回路を収容する電源部と、
前記壁部に形成された開口部を介して、前記電源部の内部の気体を前記筐体部の内部に移送する移送部材と、
を備え、
前記筐体部は、前記開口部とは異なる位置に配置され且つ前記筐体部の内部の空気を外部に排出可能な排気口を有し、前記移送部材によって移送された気体によって前記筐体部の内部は陽圧になると共に、
前記排気口が、前記開口部に対して、前記筐体部に対して対面の位置に配置された
ことを特徴とする画像読取り装置。
【請求項２】
前記筐体部に対して壁部で隔てられ、且つ、水平方向に隣接して配置され、内部に電源回路を収容する電源部と、
を備えたことを特徴とする請求項１に記載の画像読取り装置。
【請求項３】
前記開口部に配置され、塵埃を除去する除去部材、
を備えたことを特徴とする請求項１または２に記載の画像読取り装置。
【請求項４】
原稿の画像を読み取る請求項１ないし３のいずれかに記載の画像読取り装置と、
前記画像読取り装置に読み取られた画像に基づいて、媒体に画像を記録する画像の記録部と、
を備えたことを特徴とする画像形成装置。
【発明の詳細な説明】
【技術分野】
【０００１】
本発明は、画像読取り装置および画像形成装置に関する。
【背景技術】
【０００２】
従来から、画像の記録された媒体、いわゆる、原稿を読み取る画像読取り装置について、以下の特許文献１，２に記載の技術が知られている。
【０００３】
特許文献１としての特開平１０−２４３１７０号公報には、画像読取り装置内を冷却するために外気を取り込む際に、原稿台ガラスの内面に埃が付着することへの対策として、露光光源ユニット（８）に支持されたクリーナブラシ（９）で清掃する技術が記載されている。
【０００４】
特許文献２としての特開平９−１９７７５０号公報には、マイクロフィルムスキャナを収容する筐体に、加圧ファン（１２４）でフィルタを介して気体を導入して、筐体の内圧を外圧よりも高く保持することで、筐体内にゴミが入ることを防止する技術が記載されている。
【先行技術文献】
【特許文献】
【０００５】
【特許文献１】特開平１０−２４３１７０号公報（「０００２」〜「０００３」、「００１５」、図２）
【特許文献２】特開平９−１９７７５０号公報（要約書）
【発明の概要】
【発明が解決しようとする課題】
【０００６】
本発明は、外気を直接的に読み取り部材に取り込む構成に比べて、読取り部材の結露を低減しつつ、読取り部材の汚れを低減することを技術的課題とする。
【課題を解決するための手段】
【０００７】
前記技術的課題を解決するために、請求項１に記載の発明の画像読取り装置は、
原稿が支持される支持台を有する筐体部と、
前記筐体部の内部に配置されて、原稿を読み取る読取り部材と、
前記筐体部に対して壁部を介して隣接して配置され、内部に電源回路を収容する電源部と、
前記壁部に形成された開口部を介して、前記電源部の内部の気体を前記筐体部の内部に移送する移送部材と、
を備え、
前記筐体部は、前記開口部とは異なる位置に配置され且つ前記筐体部の内部の空気を外部に排出可能な排気口を有し、前記移送部材によって移送された気体によって前記筐体部の内部は陽圧になると共に、
前記排気口が、前記開口部に対して、前記筐体部に対して対面の位置に配置された
ことを特徴とする。
【０００８】
請求項２に記載の発明は、請求項１に記載の画像読取り装置において、
前記筐体部に対して壁部で隔てられ、且つ、水平方向に隣接して配置され、内部に電源回路を収容する電源部と、
を備えたことを特徴とする。
【０００９】
請求項３に記載の発明は、請求項１または２に記載の画像読取り装置において、
前記開口部に配置され、塵埃を除去する除去部材、
を備えたことを特徴とする。
【００１０】
前記技術的課題を解決するために、請求項４に記載の発明の画像形成装置は、
原稿の画像を読み取る請求項１ないし３のいずれかに記載の画像読取り装置と、
前記画像読取り装置に読み取られた画像に基づいて、媒体に画像を記録する画像の記録部と、
を備えたことを特徴とする。
【発明の効果】
【００１１】
請求項１，４に記載の発明によれば、外気を直接的に読み取り部材に取り込む構成に比べて、読取り部材の結露を低減しつつ、読取り部材の汚れを低減することができる。また、請求項１，４に記載の発明によれば、筐体部に送り込まれた暖かい空気で、筐体部の内部が陽圧になり、排気口から外気が流れ込みにくくなる。
また、請求項１，４に記載の発明によれば、排気口と開口部とが近くに配置されている場合に比べて、開口部から流れ込んだ空気が筐体部の全体に広がりやすい。
請求項２に記載の発明によれば、筐体部に対して下方に電源回路が配置される場合に比べて、十分に筐体部が温められた状態で、下方の電源回路から上昇する暖気で過剰に温められることを抑制できる。
請求項３に記載の発明によれば、筐体部の内部に塵埃が除去された空気を移送することができる。
【図面の簡単な説明】
【００１２】
【図１】図１は実施例１の画像形成装置の全体説明図である。
【図２】図２は実施例１の画像の記録部の要部説明図である。
【図３】図３は実施例１の画像読取り装置の説明図である。
【図４】図４は実施例１の画像読取り装置の要部の平面図である。
【発明を実施するための形態】
【００１３】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は実施例１の画像形成装置の全体説明図である。
図１において、本発明の実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像の読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１５】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１６】
スキャナ部Ｕ２の上面には、透明な原稿台の一例としてのプラテンガラスＰＧが配置されている。実施例１のスキャナ部Ｕ２には、プラテンガラスＰＧの下方に、読取部の一例としての読取ユニットＵ２ａが配置されている。実施例１の読取ユニットＵ２ａは、プラテンガラスＰＧの下面に沿って、副走査方向の一例としての左右方向に移動可能に支持されている。読取ユニットＵ２ａは、通常時は、図１の実線で示す初期位置に停止している。なお、読取ユニットＵ２ａは、画像処理部ＧＳに電気的に接続されている。
また、実施例１のスキャナ部Ｕ２では、原稿の搬送路Ｕ３ａには、原稿の搬送方向に対して、読取ユニットＵ２ａが対向する位置よりも下流側に、第２の読み取り部材の一例としての読取りセンサＵ３ｄが配置されている。読取りセンサＵ３ｄは、読取りユニットＵ２ａとは原稿Ｇｉの反対側の面を読み取り可能に構成されている。
【００１７】
図２は実施例１の画像の記録部の要部説明図である。
画像処理部ＧＳは、プリンタ部Ｕ１の書込回路ＤＬに電気的に接続されている。書込回路ＤＬは、潜像の形成装置の一例としての露光装置ＲＯＳに電気的に接続されている。
実施例１の露光装置ＲＯＳは、書込光の一例としてのＹ，Ｍ，Ｃ，Ｋの各色に対応したレーザービームＬｙ，Ｌｍ，Ｌｃ，Ｌｋを出力可能に構成されている。露光装置ＲＯＳは、書込回路ＤＬから入力された信号に応じたレーザービームＬｙ〜Ｌｋを出力可能に構成されている。
図１において、露光装置ＲＯＳの上方には、像保持体の一例としての感光体ＰＲｙ，ＰＲｍ，ＰＲｃ，ＰＲｋが配置されている。図１、図２において、各感光体ＰＲｙ〜ＰＲｋにレーザービームＬｙ〜Ｌｋが照射される領域により、書込領域Ｑ１ｙ，Ｑ１ｍ，Ｑ１ｃ，Ｑ１ｋが構成されている。
【００１８】
各感光体ＰＲｙ，ＰＲｍ，ＰＲｃ，ＰＲｋの回転方向に対して、書込領域Ｑ１ｙ〜Ｑ１ｋの上流側には、帯電器の一例としての帯電ロールＣＲｙ，ＣＲｍ，ＣＲｃ，ＣＲｋが配置されている。実施例１の帯電ロールＣＲｙ〜ＣＲｋは、感光体ＰＲｙ〜ＰＲｋに接触して従動回転可能に支持されている。
感光体ＰＲｙ〜ＰＲｋの回転方向に対して、書込領域Ｑ１ｙ〜Ｑ１ｋの下流側には、現像装置Ｇｙ，Ｇｍ，Ｇｃ，Ｇｋが配置されている。各感光体ＰＲｙ〜ＰＲｋと各現像装置Ｇｙ〜Ｇｋとが対向する領域により、現像領域Ｑ２ｙ，Ｑ２ｍ，Ｑ２ｃ，Ｑ２ｋが構成されている。
【００１９】
感光体ＰＲｙ〜ＰＲｋの回転方向に対して、現像装置Ｇｙ〜Ｇｋの下流側には、１次転写器の一例としての１次転写ロールＴ１ｙ，Ｔ１ｍ，Ｔ１ｃ，Ｔ１ｋが配置されている。各感光体ＰＲｙ〜ＰＲｋと各１次転写ロールＴ１ｙ〜Ｔ１ｋとが対向する領域により、１次転写領域Ｑ３ｙ，Ｑ３ｍ，Ｑ３ｃ，Ｑ３ｋが構成されている。
感光体ＰＲｙ〜ＰＲｋの回転方向に対して、１次転写ロールＴ１ｙ〜Ｔ１ｋの下流側には、像保持体の清掃器の一例としての感光体クリーナＣＬｙ，ＣＬｍ，ＣＬｃ，ＣＬｋが配置されている。
【００２０】
前記Ｙ色の感光体ＰＲｙ、帯電ロールＣＲｙ、Ｙ色のレーザービームＬｙを出力する露光装置ＲＯＳ、現像装置Ｇｙ、１次転写ロールＴ１ｙ、感光体クリーナＣＬｙにより、トナー像を形成する実施例１のＹ色の可視像の形成装置の一例としてのＹ色の作像部Ｕｙが構成されている。同様に、各感光体ＰＲｍ，ＰＲｃ，ＰＲｋ、帯電ロールＣＲｍ，ＣＲｃ，ＣＲｋ、露光装置ＲＯＳ、現像装置Ｇｍ，Ｇｃ，Ｇｋ、１次転写ロールＴ１ｍ，Ｔ１ｃ，Ｔ１ｋ、感光体クリーナＣＬｍ，ＣＬｃ，ＣＬｋにより、前記Ｍ，Ｃ，Ｋ色の作像部Ｕｍ，Ｕｃ，Ｕｋが構成されている。
【００２１】
前記感光体ＰＲｙ〜ＰＲｋの上方には、中間転写装置の一例としてのベルトモジュールＢＭが配置されている。ベルトモジュールＢＭは、中間転写体の一例としての中間転写ベルトＢを有する。中間転写ベルトＢは、無端帯状の部材により構成されている。
実施例１の中間転写ベルトＢは、駆動部材の一例としてのベルト駆動ロールＲｄと、張架部材の一例としてのテンションロールＲｔと、片寄りを補正する部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００２２】
前記中間転写ベルトＢを挟んでバックアップロールＴ２ａに対向する位置には、２次転写部材の一例としての２次転写ロールＴ２ｂが配置されている。実施例１では、バックアップロールＴ２ａは接地され、２次転写ロールＴ２ｂには電源回路Ｅからトナーの帯電極性と逆極性の２次転写電圧が印加される。バックアップロールＴ２ａおよび２次転写ロールＴ２ｂにより、実施例１の２次転写器Ｔ２が構成されている。また、２次転写ロールＴ２ｂと中間転写ベルトＢとが接触する領域により２次転写領域Ｑ４が構成されている。
中間転写ベルトＢの回転方向に対して、２次転写領域Ｑ４の下流側には、中間転写体の清掃器の一例として、ベルトクリーナＣＬｂが配置されている。
前記１次転写ロールＴ１ｙ〜Ｔ１ｋ、中間転写ベルトＢおよび２次転写器Ｔ２等により、実施例１の転写装置Ｔ１＋Ｔ２＋Ｂが構成されている。また、作像部Ｕｙ〜Ｕｋおよび転写装置Ｔ１＋Ｔ２＋Ｂとにより、実施例１の画像の記録部Ｕｙ〜Ｕｋ＋Ｔ１＋Ｔ２＋Ｂが構成されている。
【００２３】
図１において、作像部Ｕｙ〜Ｕｋの下方には、案内部材の一例としての左右一対のガイドレールＧＲが３段設けられている。各ガイドレールＧＲには、媒体の収容部の一例としての給紙トレイＴＲ１〜ＴＲ３が前後方向に出入可能に支持されている。給紙トレイＴＲ１〜ＴＲ３には、媒体の一例としての記録シートＳが収容される。
給紙トレイＴＲ１〜ＴＲ３の左上方には、取出部材の一例としてのピックアップロールＲｐが配置されている。記録シートＳの搬送方向に対して、ピックアップロールＲｐの下流側には、捌き部材の一例としての捌きロールＲｓが配置されている。記録シートＳの搬送方向に対して、捌きロールＲｓの下流側には、媒体の搬送路の一例として、上方に延びる給紙路ＳＨ１が形成されている。給紙路ＳＨ１には、搬送部材の一例としての複数の搬送ロールＲａが配置されている。
【００２４】
給紙路ＳＨ１には、２次転写領域Ｑ４の上流側に、搬送時期の調節部材の一例としてのレジロールＲｒが配置されている。
記録シートＳの搬送方向に対して、２次転写領域Ｑ４の下流側には、定着装置Ｆが配置されている。定着装置Ｆは、加熱用の定着部材の一例としての加熱ロールＦｈと、加圧用の定着部材の一例としての加圧ロールＦｐと、を有する。加熱ロールＦｈと加圧ロールＦｐとの接触領域により定着領域Ｑ５が構成されている。
定着装置Ｆの上方には、搬送路の一例としての排紙路ＳＨ２が配置されている。プリンタ部Ｕ１の上面には、媒体の排出部の一例としての排紙トレイＴＲｈが形成されている。排紙路ＳＨ２は、排紙トレイＴＲｈに向けて延びる。排紙路ＳＨ２の下流端には、媒体の搬送部材の一例としての排紙ロールＲｈが配置されている。
【００２５】
（画像形成動作の説明）
前記構成を備えた実施例１の複写機Ｕでは、原稿Ｇｉを作業者が手でプラテンガラスＰＧ上に置いて複写を行う場合には、読取ユニットＵ２ａが初期位置から左右方向に移動して、プラテンガラスＰＧ上の原稿Ｇｉが、露光されながら走査される。また、前記オートフィーダＵ３を使用して自動的に原稿Ｇｉを搬送して複写を行う場合には、読取ユニットＵ２ａは、初期位置から、図１の破線で示す原稿の読み取り位置に移動して停止する。そして、原稿トレイＴＧ１に収容された複数の原稿Ｇｉは、プラテンガラスＰＧ上の原稿の読み取り位置に順次搬送されて通過し、原稿の排紙トレイＴＧ２に排出される。したがって、プラテンガラスＰＧ上の読み取り位置を順次通過する各原稿Ｇｉは、停止した読取ユニットＵ２ａに露光されて走査される。なお、原稿Ｇｉからの反射光は、読取ユニットＵ２ａで受光される。前記読取ユニットＵ２ａは、受光された原稿Ｇｉの反射光を電気信号に変換する。なお、原稿Ｇｉの両面読取りが行われる場合には、読取りセンサＵ３ｄでも原稿Ｇｉが読み取られる。
【００２６】
画像処理部ＧＳは、読取ユニットＵ２ａから出力された電気信号が入力される。画像処理部ＧＳは、読取ユニットＵ２ａが読み取ったＲ，Ｇ，Ｂの色の画像の電気信号を、潜像形成用のイエローＹ、マゼンタＭ、シアンＣ、黒Ｋの画像情報に変換する。画像処理部ＧＳは、変換後の画像情報をプリンタ部Ｕ１の書込回路ＤＬに出力する。なお、画像処理部ＧＳは、画像が単色画像、いわゆる、モノクロの場合は、黒Ｋのみの画像情報を書込回路ＤＬに出力する。
書込回路ＤＬは、入力された画像情報に応じた制御信号を、露光装置ＲＯＳに出力する。露光装置ＲＯＳは、制御信号に応じたレーザービームＬｙ〜Ｌｋを出力する。
【００２７】
各感光体ＰＲｙ〜ＰＲｋは、画像形成が開始されると回転駆動する。帯電ロールＣＲｙ〜ＣＲｋには、電源回路Ｅから帯電電圧が印加される。したがって、感光体ＰＲｙ〜ＰＲｋの表面は、帯電ロールＣＲｙ〜ＣＲｋにより帯電される。帯電された感光体ＰＲｙ〜ＰＲｋは、書込領域Ｑ１ｙ〜Ｑ１ｋにおいて、レーザービームＬｙ〜Ｌｋにより、表面に静電潜像が形成される。感光体ＰＲｙ〜ＰＲｋの静電潜像は、現像領域Ｑ２ｙ〜Ｑ２ｋにおいて、現像装置Ｇｙ，Ｇｍ，Ｇｃ，Ｇｋにより可視像の一例としてのトナー像に現像される。
【００２８】
現像されたトナー像は、中間転写体の一例としての中間転写ベルトＢに接触する１次転写領域Ｑ３ｙ，Ｑ３ｍ，Ｑ３ｃ，Ｑ３ｋに搬送される。１次転写領域Ｑ３ｙ，Ｑ３ｍ，Ｑ３ｃ，Ｑ３ｋにおいて、１次転写ロールＴ１ｙ〜Ｔ１ｋには、電源回路Ｅからトナーの帯電極性と逆極性の１次転写電圧が印加される。したがって、各感光体ＰＲｙ〜ＰＲｋ上のトナー像は、１次転写ロールＴ１ｙ〜Ｔ１ｋにより、中間転写ベルトＢに転写される。なお、多色のトナー像の場合、上流側の１次転写領域で中間転写ベルトＢに転写されたトナー像に重ねて、下流側のトナー像が転写される。
１次転写後の感光体ＰＲｙ〜ＰＲｋの残留物、付着物は、感光体クリーナＣＬｙ〜ＣＬｋにより清掃される。清掃された感光体ＰＲｙ〜ＰＲｋ表面は、帯電ロールＣＲｙ〜ＣＲｋにより再帯電される。
１次転写領域Ｑ３ｙ〜Ｑ３ｋで１次転写ロールＴ１ｙ〜Ｔ１ｋにより中間転写ベルトＢ上に転写された単色または多色のトナー像は、２次転写領域Ｑ４に搬送される。
【００２９】
画像が記録される記録シートＳは、使用される給紙トレイＴＲ１〜ＴＲ３のピックアップロールＲｐにより、取り出される。ピックアップロールＲｐで取り出された記録シートＳは、複数枚の記録シートＳが重ねて取り出された場合、捌きロールＲｓにより１枚ずつに分離される。捌きロールＲｓで分離された記録シートＳは、搬送ロールＲａにより給紙路ＳＨ１を搬送される。給紙路ＳＨ１を搬送された記録シートＳは、レジロールＲｒに送られる。
レジロールＲｒは、中間転写ベルトＢに形成されたトナー像が２次転写領域Ｑ４に搬送される時期を合わせて、記録シートＳを２次転写領域Ｑ４に搬送する。２次転写ロールＴ２ｂには、電源回路Ｅによりトナーの帯電極性と逆極性の２次転写電圧が印加される。したがって、中間転写ベルトＢ上のトナー像は、中間転写ベルトＢから記録シートＳに転写される。
【００３０】
２次転写後の前記中間転写ベルトＢは、表面に付着した付着物等がベルトクリーナＣＬｂにより清掃される。
前記トナー像が２次転写された記録シートＳは、定着領域Ｑ５を通過する際に加熱定着される。
画像が定着された記録シートＳは、排紙路ＳＨ２を搬送される。排紙路ＳＨ２を搬送された記録シートＳは、排紙ロールＲｈにより排紙トレイＴＲｈに排出される。
【００３１】
（画像読取り装置の説明）
図３は実施例１の画像読取り装置の説明図である。
図３において、画像読取り装置の一例としてのスキャナ部Ｕ２は、筐体部の一例としてのケース１を有する。前記ケース１の上面には、原稿の支持台の一例としての前記プラテンガラスＰＧが支持されている。実施例１のプラテンガラスＰＧは、左側に配置された自動の読取りガラス２と、右側に配置された手動の読取りガラス３とを有する。
【００３２】
図１、図３において、プラテンガラスＰＧの下方には、読取ユニットＵ２ａが配置されている。
実施例１の読取ユニットＵ２ａは、移動部材の一例としてのキャリッジ１１を有する。キャリッジ１１は、図示しない駆動系により、プラテンガラスＰＧの下面に沿って、左右方向に移動可能に支持されている。キャリッジ１１には、光源の一例としてのＬＥＤランプ１２が支持されている。また、キャリッジ１１には、光学系の一例としてのミラー１３およびレンズ１４が支持されている。さらに、キャリッジ１１には、読取り部材の一例としての撮像素子１６が支持されている。
【００３３】
図３において、キャリッジ１１と、制御部の一例としての画像処理部ＧＳとの間は、接続部材の一例としてのフレキシブルフラットケーブル１７で接続されている。なお、以下、フレキシブルフラットケーブル：Flexible Flat Cableは、「ＦＦＣ」と略記する。
図３、図４において、実施例１のＦＦＣ１７は、長手方向が左右方向に延び、且つ、短手方向が前後方向に延びる帯板状に形成されている。そして、ＦＦＣ１７は、一端側がキャリッジ１１に接続され、他端が画像処理部ＧＳに接続されている。実施例１のＦＦＣ１７は、キャリッジ１１のＬＥＤランプ１２や撮像素子１６への制御信号や給電を行ったり、撮像素子１６で読み取られた画像データを画像処理部ＧＳに送信可能である。実施例１のＦＦＣ１７は、市販のＦＦＣを使用可能であるが、特に、電磁妨害ＥＭＩ：Electro Magnetic Interference対策で、片面または両面にシールド加工がされたＦＦＣを使用することも可能である。
【００３４】
図４は実施例１の画像読取り装置の要部の平面図である。
図３、図４において、ケース１の右端には、壁部２１を介して、電源部の一例としての電源ハウジング２２が配置されている。電源ハウジング２２の内部には、電源回路Ｅが収容されている。実施例１の電源回路Ｅは、スキャナ部Ｕ２だけでなく、プリンタ部Ｕ１やオートフィーダＵ３に設置されたモータやセンサ等の被給電部材に対して、接続部材の一例としてのハーネスやケーブルを介して、電力を供給する。したがって、ケース１には、ハーネスやケーブルが通過する図示しない開口が形成されている。よって、図示しない開口を通じて、ケース１内に気体が流入可能である。なお、気体を吸気するための吸気口を形成することも可能である。
【００３５】
壁部２１の後部には、電源ハウジング２２の内部とケース１の内部とを接続する開口部２３が形成されている。開口部２３には、移送部材の一例としてのファン２４が配置されている。実施例１のファン２４は、電源ハウジング２２側の気体をケース１側に移送するように作動する。
実施例１の開口部２３には、除去部材の一例としてのフィルター２６が支持されている。フィルター２６は、空気中の塵埃を除去可能なエアフィルタにより構成されている。
ケース１の左端の壁には、前後一対の排気口２７，２７が形成されている。
【００３６】
（実施例１の画像読取り装置の機能）
前記構成を備えた実施例１のスキャナ部Ｕ２では、複写機Ｕの電源投入にともなって、電源回路Ｅが作動する。実施例１では、このとき、ファン２４も作動を開始し、電源ハウジング２２からケース１へ向けて気体が移送される。電源ハウジング２２の空気は、電源回路Ｅからの発熱で温められており、ケース１には温められた空気が送られる。なお、ケース１に送られる空気は、フィルター２６で塵埃が除去され、清浄化される。
【００３７】
画像読取り装置には、ケーブルやハーネスを通したり、通気のための開口が形成されている場合がある。しかし、開口を通じて内部へゴミや埃が侵入すると、画像の読み取り不良が発生することがあり、従来の画像読取り装置では、開口の外側に外装カバーを配置したり、テープ等で目張りして開口を塞ぐことが一般的であった。しかし、ハーネスの引き回し等で開口を完全に塞ぐことは困難である。また、開口を目張りで塞ぐと、結露環境において外気との換気性能が低下し、電源投入や待機状態から読取りが可能になるまでの時間が長くなる問題もある。特許文献１に記載の技術のように、付着した埃等を除去する技術では、根本的に、ゴミや埃が進入することに対する対策には至っていない。また、特許文献１，２に記載の技術では、読取り装置の内部における結露に対しても、冷たい外気を導入するだけで対策がされていない。
特に、近年、画像読取り装置の光源として、ハロゲンランプ等に比べて、長寿命で消費電力が少ないＬＥＤランプが使用されるようになってきている。ＬＥＤランプはハロゲンランプに比べて発熱量が少なく、ＬＥＤランプの発熱を利用して画像読取り装置の内部の温度を上げて、結露対策を行うことは困難になっている。また、画像読取り装置は、プリンタ部Ｕ１において発熱量が大きな定着装置Ｆからも距離が離れている。したがって、定着装置Ｆの熱を利用して画像読取り装置の結露対策を行おうとすると、画像読取り装置の内部の温度が上昇するまでに時間が掛かる問題がある。
【００３８】
これに対して、実施例１では、ケース１に隣接して電源ハウジング２２を配置しており、電源回路Ｅで温められた空気が、ケース１にファン２４で送り込まれる。そして、ケース１の内部は、送り込まれた温かい空気で、外気に対して陽圧となる。よって、排気口２７から外気が流れ込みにくくなる。したがって、排気口２７の目張りも必要なく、排気口２７を通じてケース１内の空気が流出する。よって、ケース１の内部は、フィルター２６で塵埃の除去された空気が流入し、ケース１内のＬＥＤランプ１２やミラー１３等に塵埃が付着することが低減される。また、ケース１には、電源回路Ｅで温められた空気が導入されており、外気が導入される構成に比べて、速やかに結露が解消される。特に、電源回路Ｅを冷却する際に発生する排熱を利用して、スキャナ部Ｕ２のケース１の内部が温められており、排熱をそのまま外気に排気する場合に比べて、熱が有効利用されている。
また、排気口２７が、開口部２３に対して、ケース１に対して対面の位置に配置されており、開口部２３の近くに排気口２７が配置されている場合に比べて、開口部２３から流れ込んだ空気がケース１の全体に広がりやすい。よって、ケース１の全体が温められやすく、温度が一定に近くなりやすい。
【００３９】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ05）を下記に例示する。
（Ｈ01）前記実施例において、画像形成装置の一例としての複写機Ｕを例示したが、これに限定されず、ＦＡＸに適用したり、ＦＡＸや、プリンタ、複写機などの複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能である。また、前記実施例において、画像読取り装置の一例としてスキャナ部Ｕ２を例示し、複写機Ｕに備えられた構成を例示したが、これに限定されず、本願発明は、スキャナ単体の構成にも適用可能である。
【００４０】
（Ｈ02）前記実施例において、電源ハウジング２２をケース１の右側に配置する構成を例示したが、これに限定されない。例えば、左側や後側、下側等、設計や仕様に応じて変更可能である。これに伴って、開口部２３や排気口２７の位置も変更可能である。
（Ｈ03）前記実施例において、フィルター２６は開口部２３に設ける構成を例示したが、これに限定されない。ファン２４と一体的な構成としたり、開口部２３よりもケース１の内側の位置に配置することも可能である。他にも、電源ハウジング２２に外気を取り込む吸気口を設けた場合には、吸気口の部分にフィルター２６を設置することで、ケース１の内部だけでなく、電源ハウジング２２の内部も清浄な空気を流動させることが可能になる。
【００４１】
（Ｈ04）前記実施例において、キャリッジ１１に光源、光学系、読取り部材の全てが支持された構成を例示したが、これに限定されない。例えば、キャリッジ１１に光源や光学系が支持され、読取り部材は、ケース１内に固定支持された構成とすることも可能である。（Ｈ05）前記実施例において、オートフィーダＵ３を有する構成を例示したが、オートフィーダＵ３を有しない構成にも適用可能である。
【符号の説明】
【００４２】
１…筐体部、
１６…読取り部材、
２１…壁部、
２２…電源部、
２３…開口部、
２４…移送部材、
２６…除去部材、
Ｅ…電源回路、
Ｇｉ…原稿、
ＰＧ…支持台、
Ｓ…媒体、
Ｕ…画像形成装置、
Ｕ１…画像の記録部、
Ｕ２…画像読取り装置。
【図１】
0006593054.tif 000002
【図２】
0006593054.tif 000003
【図３】
0006593054.tif 000004
【図４】
0006593054.tif 000005